(57)【要約】通信端末は、それぞれが一群のユーザー調整可能な動作特性を含むいくつかのユーザー選択可能なプロファイルを備えている。これらの選択可能なプロファイルは、一群のユーザー調整可能な動作特性を含むメッセージで通信端末間で転送可能である。通信端末は、通信チャネルを介して送信されたこのメッセージを受信すると、該メッセージを分析し、その一群のユーザー調整可能な動作特性をプロファイルとして保存する。
2004507980.tif 000002
【特許請求の範囲】
【請求項１】
それぞれが一群のユーザー調整可能な動作特性を含むいくつかのユーザー選択可能なプロファイルを備えた通信端末においてプロファイルの動作特性を処理する方法であって、通信チャネルを介してリモート端末から一群のユーザー調整可能な動作特性を含むメッセージを受信する段階と、前記一群のユーザー調整可能な動作特性を前記通信端末内にプロファイルとして保存する段階と、を有することを特徴とする方法。
【請求項２】
前記メッセージは、前記のユーザーが選択したプロファイル内に保存するべく、呼出音と、少なくとも１つのグラフィック画像と、を含む請求項１記載の方法。
【請求項３】
前記少なくとも１つのグラフィック画像は、前記ユーザーが前記通信端末用に前記プロファイルを選択した場合に、前記通信端末の動作に応じて、前記通信端末のディスプレイに表示される請求項２記載の方法。
【請求項４】
前記メッセージは、前記ユーザーが選択したプロファイル内に保存するべく、連絡情報を規定するカード及び／又はイベントの日付を規定するカレンダーノートを含む請求項２記載の方法。
【請求項５】
前記メッセージは、前記ユーザーが選択したプロファイル内に保存するべく、前記通信端末が処理するサーバー文書の場所を規定するブックマーク情報を含む請求項２記載の方法。
【請求項６】
前記リモート端末は、プロモーション用のコンテンツを提供するサーバーである請求項１記載の方法。
【請求項７】
前記リモート端末は、イベント駆動型のコンテンツを提供するサーバーである請求項１記載の方法。
【請求項８】
前記通信端末において、前記ユーザーは、受信したプロファイルメッセージ内に含まれたアイテムをチェックした後に該プロファイルメッセージを破棄することができる請求項２記載の方法。
【請求項９】
前記少なくとも１つのグラフィック画像は、複数の個別画像を含み、前記複数の画像は、アニメーションを生成するべく連続して表示される請求項２記載の方法。
【請求項１０】
前記アニメーションは、前記ユーザーが前記通信端末用に前記プロファイルを選択した場合に、スクリーンセーバーとして機能する請求項９記載の方法。
【請求項１１】
前記メッセージは、前記プロファイルの名前ラベルを更に含む請求項１記載の方法。
【請求項１２】
それぞれが一群のユーザー調整可能な動作特性を含むいくつかのユーザー選択可能なプロファイルを備えた通信端末であって、メッセージを受信する手段と、前記メッセージのタイプを分析し、該メッセージにユーザー調整可能な動作特性が存在する場合にそれらを検出する手段と、前記ユーザー調整可能な動作特性を前記通信端末内で利用可能な前記いくつかの選択可能なプロファイルの中の１つとして保存する手段と、を有することを特徴とする通信端末。
【請求項１３】
前記メッセージは、前記のユーザーが選択したプロファイル内に保存するべく、呼出音と、少なくとも１つのグラフィック画像と、を含む請求項１２記載の通信端末。
【請求項１４】
前記通信端末は、前記ユーザーが該通信端末用に前記プロファイルを選択した場合に、該通信端末の動作に応じて、該通信端末のディスプレイ内に前記少なくとも１つのグラフィック画像を表示する手段を備えている請求項１２又は１３記載の通信端末。
【請求項１５】
前記通信端末は、前記ユーザーが受信したプロファイルメッセージ内に含まれているアイテムをチェックした後に前記プロファイルメッセージを破棄できるようにする手段を備えている請求項１３記載の通信端末。
【請求項１６】
前記少なくとも１つのグラフィック画像は、複数の個別画像を含み、前記端末は、アニメーションを生成するべく前記複数の画像を連続して表示する手段を備えている請求項１３記載の通信端末。
【請求項１７】
前記ユーザーが前記通信端末用に前記プロファイルを選択した場合に、前記アニメーションをスクリーンセーバーとして表示する手段を備えている請求項１６記載の通信端末。
【請求項１８】
前記メッセージは、前記プロファイルの名前ラベルを更に含む請求項１２記載の通信端末。
【請求項１９】
それぞれが一群のユーザー調整可能な動作特性を含むいくつかのユーザー選択可能なプロファイルを備えた通信端末用のプロファイルの動作特性を提供する方法であって、所定のメッセージフォーマットを備えたメッセージ内に一群のユーザー調整可能な動作特性を配置する段階と、前記メッセージを通信チャネルを介して前記通信端末に送信する段階と、を有することを特徴とする方法。
【請求項２０】
前記メッセージは、前記のユーザーが選択したプロファイルに保存するべく、呼出音と、少なくとも１つのグラフィック画像と、を含む請求項１９記載の方法。
【請求項２１】
前記少なくとも１つのグラフィック画像は、前記ユーザーが前記通信端末用に前記プロファイルを選択した場合に、前記端末の動作に応じて、前記端末のディスプレイ内に表示される請求項２０記載の方法。
【請求項２２】
前記通信端末において、前記ユーザーは受信したプロファイルメッセージ内に含まれたアイテムをチェックした後に該プロファイルメッセージを破棄することができる請求項２０記載の方法。
【請求項２３】
前記少なくとも１つのグラフィック画像は、複数の個別画像を含み、前記複数の画像は、アニメーションを生成するべく連続して表示される請求項２０記載の方法。
【請求項２４】
前記アニメーションは、前記ユーザーが前記通信端末用に前記プロファイルを選択した場合に、スクリーンセーバーとして機能する請求項２３記載の方法。
【請求項２５】
前記メッセージは、前記プロファイルの名前ラベルを更に含む請求項１９記載の方法。
【請求項２６】
それぞれが一群のユーザー調整可能な動作特性を含むいくつかのユーザー選択可能なプロファイルを備えた通信端末であって、所定のメッセージフォーマットを備えたメッセージ内に一群のユーザー調整可能な動作特性を配置する手段と、前記メッセージを通信チャネルを介して前記通信端末に送信する手段と、を有すること特徴とする通信端末。
【請求項２７】
前記メッセージは、前記のユーザーが選択したプロファイル内に保存するべく、呼出音と、少なくとも１つのグラフィック画像と、を含む請求項２６記載の通信端末。
【請求項２８】
前記少なくとも１つのグラフィック画像は、前記ユーザーが前記通信端末用に前記プロファイルを選択した場合に、前記通信端末の動作に応じて、前記通信端末のディスプレイ内に表示される請求項２７記載の方法。
【請求項２９】
前記通信端末は、前記ユーザーが受信したプロファイルメッセージ内に含まれているアイテムをチェックした後に該プロファイルメッセージを破棄できるようにする手段を備えた請求項２７記載の通信端末。
【請求項３０】
前記少なくとも１つのグラフィック画像は、複数の個別画像を含み、前記端末は、アニメーションを生成するべく前記複数の画像を連続して表示する手段を備える請求項２７記載の通信端末。
【請求項３１】
前記アニメーションは、前記ユーザーが前記通信端末用に前記プロファイルを選択した場合に、スクリーンセーバーとして機能する請求項３１記載の方法。
【請求項３２】
前記メッセージは、前記プロファイルの名前ラベルを更に含む請求項２６記載の通信端末。
【請求項３３】
ユーザー調整可能な動作特性のいくつかのユーザー選択可能な群を備えた通信端末の動作特性を処理する方法であって、通信チャネルを介してリモート端末から送信された一群のユーザー調整可能な動作特性を含むメッセージを受信する段階と、前記一群のユーザー調整可能な動作特性を前記通信端末内のそれぞれの選択可能な群に個別に保存する段階と、を有することを特徴とする方法。
【請求項３４】
前記メッセージは、対応するユーザー選択可能な群に保存するべく、呼出音と、少なくとも１つのグラフィック画像と、を含む請求項３３記載の方法。
【請求項３５】
前記少なくとも１つのグラフィック画像は、前記ユーザーが前記通信端末用に前記プロファイルを選択した場合に、前記通信端末の動作に応じて、前記通信端末のディスプレイ内に表示される請求項３３記載の方法。
【請求項３６】
前記メッセージは、対応するユーザー選択可能な群に保存するべく、連絡情報を規定するカード及び／又はイベントの日付を規定するカレンダーノートを含む請求項３４記載の方法。
【請求項３７】
前記メッセージは、対応するユーザー選択可能な群に保存するべく、前記通信端末が処理するサーバー文書の場所を規定するブックマーク情報を含む請求項３４記載の方法。
【請求項３８】
前記リモート端末は、プロモーション用のコンテンツを提供するサーバーである請求項３３記載の方法。
【請求項３９】
前記リモート端末は、イベント駆動型コンテンツを提供するサーバーである請求項３３記載の方法。
【請求項４０】
ユーザー調整可能な動作特性のいくつかのユーザー選択可能な群を備えた通信端末用の動作特性を有するリモート端末であって、
一群のユーザー調整可能な動作特性を含むメッセージを生成するバンドル手段と、
前記メッセージを通信チャネルを介して前記通信端末に転送する送信手段であって、前記通信端末が、前記一群のユーザー調整可能な動作特性を前記通信端末内のそれぞれの選択可能な群に個別に保存することができる前記送信手段と、
を有するリモート端末。
【請求項４１】
前記リモート端末は、プロモーション用のコンテンツを提供するサーバーである請求項４０記載のリモート端末。
【請求項４２】
前記リモート端末は、イベント駆動型のコンテンツを提供するサーバーである請求項４０記載のリモート端末。
【請求項４３】
前記メッセージは、前記バンドル手段によって生成された呼出音と、少なくとも１つのグラフィック画像と、を含む請求項４０記載のリモート端末。
【請求項４４】
前記メッセージは、前記バンドル手段によって生成された連絡情報を規定するカード及び／又はイベントの日付を規定するカレンダーノートを含む請求項４３記載のリモート端末。
【請求項４５】
前記メッセージは、前記バンドル手段によって生成された、前記通信端末が処理するサーバー文書の場所を規定するブックマーク情報を含む請求項４４記載のリモート端末。
【発明の詳細な説明】
【０００１】
本発明は、通信端末、例えば携帯電話のパーソナライズに関する。
【０００２】
過去数年の間に、セルラ端末の外見は重たいレンガ状の電子の箱から魅力的なデザインへと変貌をとげたが、ユーザーはカラフルで交換可能なカバーや特定の呼出音などによる電話機の更なるパーソナライズを望んでいる。
【０００３】
オペレータのロゴと呼出音のインターネットからのダウンロードは、１９９７年９月１５日付けのスマートメッセージ規格、第１．０．０版に規定されたノキアスマートメッセージプラットフォームにより、既に過去数年間にわたって実現している。
【０００４】
又、米国特許第６，０９４，５８７号では、電話機間で転送可能なフォーマットで、例えばショートメッセージで電話機の呼出音をプログラムする方法について説明している。
【０００５】
一方、米国特許５，４７９，４７６号では、携帯端末におけるプロファイルの使用について説明しており、これを利用すれば、ユーザーは、ほんの数回キーを押すだけで端末の警報設定を変更し環境要件に適合させることができる。これは、工場や道路などの騒がしい環境から会議室、劇場、或いはレストランなどの静かな環境に移動した場合にユーザーにとって非常に便利な機能であり、これらのプロファイルに対するユーザーの評価は高い。
【０００６】
本発明の第１の態様によれば、それぞれが一群のユーザー調整可能な動作特性を含むいくつかのユーザー選択可能なプロファイルを備えた通信端末においてプロファイルの動作特性を処理する方法が提供される。この方法は、通信チャネルを介してリモート端末から送信された一群のユーザー調整可能な動作特性を含むメッセージを受信する段階と、この一群のユーザー調整可能な動作特性をプロファイルとして通信端末に保存する段階と、を有しており、この結果、別のリモートプロファイルから通信ネットワークを介して（無線によって）プロファイルを送信することにより、端末内で新しいプロファイルを規定することが可能になる。
【０００７】
送信するプロファイルメッセージには、ユーザーが選択したプロファイルに保存するべく、呼出音と、少なくとも１つのグラフィック画像と、を含むことが好ましい。又、プロファイルメッセージには、カレンダーノート及び／又はブックマークを含むことも可能である。リモート端末は、販売促進用のコンテンツ及び／又はイベント駆動型のコンテンツを提供するサーバーであってよい。好適な実施例によれば、ユーザーは、通信端末において受信したプロファイルメッセージに含まれているアイテムをチェックした後に、当該プロファイルメッセージを破棄することができる。好適な実施例によれば、プロファイルメッセージの格納データには複数の個別画像が含まれており、これらの画像は、アニメーションを生成するべく連続して表示される。更に、プロファイルメッセージには、そのプロファイルの名前ラベルを含むことも可能である。
【０００８】
本発明の第２の態様によれば、それぞれが一群のユーザー調整可能な動作特性を含むいくつかのユーザー選択可能なプロファイルを備えた通信端末が提供される。この端末は、メッセージを受信する手段と、そのメッセージのタイプを分析し、ユーザー調整可能な動作特性がメッセージ内に存在する場合にそれらを検出する手段と、それらのユーザー調整可能な動作特性を通信端末で利用可能ないくつかのユーザー選択可能なプロファイルの１つとして保存する手段と、を有している。
【０００９】
本発明の第３の態様によれば、それぞれが一群のユーザー調整可能な動作特性を含むいくつかのユーザー選択可能なプロファイルを備えた通信端末に対してプロファイル用の動作特性を提供する方法が提供される。この方法は、所定のメッセージフォーマットを備えたメッセージ内に一群のユーザー調整可能な動作特性を配置する段階と、このメッセージを通信チャネルを介して通信端末に送信する段階と、を有している。
【００１０】
本発明の第４の態様によれば、それぞれが一群のユーザー調整可能な動作特性を含むいくつかのユーザー選択可能なプロファイルを備えた通信端末が提供される。この端末は、所定のメッセージフォーマットを備えたメッセージ内に一群のユーザー調整可能な動作特性を配置する手段と、このメッセージを通信チャネルを介して通信端末に送信する手段と、を有している。
【００１１】
本発明の第５の態様によれば、ユーザー調整可能な動作特性のいくつかのユーザー選択可能な群を備えた通信端末の動作特性を処理する方法が提供される。この方法は、通信チャネルを介してリモート端末から送信された一群のユーザー調整可能な動作特性を含むメッセージを受信する段階と、この一群のユーザー調整可能な動作特性を通信端末内のそれぞれの選択可能な群に個別に保存する段階と、を有している。この本発明の第５の態様の好適な実施例においては、メッセージは、対応するユーザー選択可能な群に保存するべく、呼出音と、少なくとも１つのグラフィック画像と、を含むことができる。又、このメッセージには、対応するユーザー選択可能な群に保存するべく、カレンダーノート及び／又はブックマークを含むことも可能である。
【００１２】
本発明の第６の態様によれば、ユーザー調整可能な動作特性のいくつかのユーザー選択可能な群を備えた通信端末用の動作特性を有するリモート端末が提供される。このリモート端末は、一群のユーザー調整可能な動作特性を含むメッセージを生成するバンドル手段と、このメッセージを通信チャネルを介して通信端末に転送する送信手段と、を有しており、通信端末は、この一群のユーザー調整可能な動作特性を通信端末内のそれぞれの選択可能な群に個別に保存することができる。
【００１３】
本発明の更なる理解と本発明の実施方法の理解を促進するべく添付の図面を参照するが、これらの図面はあくまで一例として提示するものである。
【００１４】
図１は、本発明による電話機の好適な実施例を示しており、総体として参照符号１で示されたこの電話機は、キーパッド２と、ディスプレイ３と、オン／オフボタン４（この電話機の最上部に位置しており、このため、この図では見えない）、スピーカ５、及びマイク６（この電話機の底部に位置する開口部であり、このため、この図面では見えない）からなるユーザーインターフェイスを有している。この好適な実施例による電話機１は、ＧＳＭ９００／１８００ＭＨｚネットワークなどのセルラネットワークを介した通信用に適合している。
【００１５】
この好適な実施例によれば、キーパッド２は、英数字キーとしての第１のキー群７、ソフトキー８、カーソルナビゲーションキー１０（上下のスクロール）、並びに、ディスプレイ３内のテキスト文字の消去、メニュー構造内でのステップ間の移動、及び通話の拒絶を実行する「クリア」キー９を備えている。ソフトキー８の現在の機能は、ソフトキー８の真上に位置するディスプレイ３内の個別フィールド（ソフトキーラベル）に表示される。このソフトキー８は多機能キーであり、その現在の機能は、電話機１の状態に応じて異なるが、メニュー、電話帳、及び通話処理に対するアクセスを提供するキーである。
【００１６】
図２は、この電話機の好適な実施例における最も重要な構成要素を概略的に示しており、これらの構成要素は本発明を理解するために不可欠である。まず、プロセッサ１８は、送受信機回路１９と内部アンテナ２０を介したネットワークとの通信を制御するものである。
【００１７】
マイク６はユーザーの音声をアナログ信号に変換し、生成されたこのアナログ信号は、Ａ／Ｄコンバータ（図示されていない）によってＡ／Ｄ変換された後に、デジタル信号処理ユニット（ＤＳＰ）１４において音声の符号化が行われる。そして、符号化されたこの音声信号がプロセッサ１８に転送されるが、このプロセッサは、ＧＳＭ端末ソフトウェアをサポートしている。又、このプロセッサ１８は、ＲＡＭメモリ１７ａ及びフラッシュＲＯＭメモリ１７ｂ、ＳＩＭカード１６、ディスプレイ３、及びキーパッド２（並びにデータや電源など）を含む本装置の周辺ユニットに対するインターフェイスをも形成している。そして、デジタル信号処理ユニット１４は、信号を復号化して音声に戻し、これがプロセッサ１８からＤ／Ａコンバータ（図示していない）を介してイヤホーンに送られる。
【００１８】
この移動局の主要制御回路には、プロセッサ１８（いくつかのマイクロコントローラで実現可能）と本発明によるショートメッセージとしてのプロファイルの送信を制御するブロック３０〜３３が含まれている。これらのブロック３０〜３３は、端末のデータ処理ユニットとして見なすことも可能であり、プロセッサ１８をプログラムすることにより、これらのすべてを形成することができる。
【００１９】
以下、呼出音、グラフィック、及びプロファイル名を含むプロファイルの送信に焦点を当ててこの端末の動作を説明することにする。まず、ユーザーインターフェイス（キーパッド２及びディスプレイ３）を利用し、所望のプロファイルをメモリから取り出す。そして、ユーザーがプロファイルの送信コマンドを入力すると、プロセッサ１８によって標準的なメッセージヘッダを含むメッセージが作成されるが、このメッセージのデータ行の内容は、行頭に位置する識別子を形成する一連の文字と、それに続く、プロファイル要素を含むプロファイルを表す一連のビットから構成されている。
【００２０】
プロセッサ１８はソフトウェアで実現された文字変換機能を有しており、これを利用し、プロセッサ１８は文字の処理を実行する。そして、形成された文字列がプロセッサ１８からＳＭＳ送信コントローラ３１に転送され、このコントローラによってメッセージアドレス情報、即ち、ユーザー入力情報に基づいた宛先に関する情報を含むメッセージヘッダが追加される。プロファイルとその各個別要素の文字変換は、プロセッサ１８が実行するアプリケーションプログラムとして実現することが好ましい。
【００２１】
アドレス情報がＳＭＳ送信コントローラ３１において追加された後に、メッセージは送信ボックス３２に転送され、このボックスから送信されることになるが、この送信ボックス３２は、送信に成功したことが報告されるまでメッセージを保存しておくバッファに対してアクセス可能であり、送信に失敗した場合には、当該メッセージの再送を実行する。送受信機回路１９がネットワークと接続可能であり、且つアイドル状態にあれば、メッセージがコントローラ１８によってＳＭＳ送信ドライバ回路３３に転送され、この際に、コントローラ１８により、有効性情報（メッセージの送信方向、即ち、移動局からメッセージサービスセンタに向かうのか、或いはこの逆なのかを示すもの）などの該当する移動体通信システムに関連するヘッダがメッセージ情報に追加され、アドレス情報が当該移動体通信システムが必要とする形式に処理されると共に、メッセージにメッセージサービスセンタのアドレス及びショートメッセージ識別子が追加され、送信すべき情報、例えば送信機１９用のデジタル信号が形成される。
【００２２】
プロセッサ１８、ＳＭＳ送信制御ユニット３１、ＳＭＳ送信ボックス３２、及びＳＭＳ送信ドライバ３３により提供される動作は、インターネットを介してショートメッセージサービスセンタに接続されたパーソナルコンピュータ５７（図５を参照）上で稼動するアプリケーションとしても提供可能である。
【００２３】
通信端末１がショートメッセージに含まれたプロファイルを受信する場合には、送受信機ユニット１９が当該メッセージを受信し、メッセージを保存するメモリを含むデータ処理ユニットの宛先ボックス即ち、受信ボックス３０に渡す。受信メッセージは、ＳＩＭカード内のメモリに保存することも可能である。まず、メッセージのタイプを検出し、受信メッセージが通常のショートメッセージの場合には、プロセッサ１８は、ショートメッセージを受信したことをディスプレイ３で通知する。
【００２４】
プロファイルが含まれていることを示す識別子をメッセージが備えている場合には、プロセッサ１８は、プロファイルの個別要素を識別する要素を更に検索する。そして、各要素の識別が完了すると、プロセッサ１８は受信データの処理を開始する。プロファイル名については、プロセッサ１８は、２進文字をＡＳＣＩＩ文字に変換し、このテキストラベルをプロファイル名として識別する。呼出音要素については、プロセッサ１８は、２進文字をＡＳＣＩＩ文字に変換した後に、更にこのＡＳＣＩＩ文字を呼出音に変換する。そして、グラフィック要素については、プロセッサ１８は、２進文字を要素識別子で与えられている寸法のビットマップファイルに変換するが、それがアニメーションの場合には、各画像ごとにこの変換作業を繰り返す。これらのすべての個別要素は、一時メモリに保存される。
【００２５】
まず第一に、ユーザーは、そのプロファイルを受け入れるのか或いは拒否するのか、即ち、そのプロファイルを永久的なメモリに保存するかどうかに関する判断を求められる。ユーザーがそのプロファイルを受け入れた場合には、プロセッサ１８は、その端末において当該プロファイルをユーザーが利用できるようにする。
【００２６】
プロファイルの概念については、本出願人に対して付与された米国特許第５，４７９，４７６号に詳細に説明されている。この発明の好適な実施例によれば、所望の設定群、即ち、「プロファイル」を選択することにより、電話の呼出音とプロファイルのグラフィックが所望の方法で機能するよう、設定することができる。この結果、様々なイベントや環境に対して電話機を簡単に調整できるようになる。
【００２７】
図３を参照すれば、所望のプロファイルを選択するための電話機のショートカット機能が示されている。一連の表示内容における第１のディスプレイとして、本発明による電話機の好適な実施例のアイドル状態表示（アイドル状態は、ユーザー又はネットワークからの入力を待っている電話機の初期状態である）が示されている。ディスプレイ３には、オペレータのロゴ２１とソフトキーラベル２２が含まれている。「オン／オフ」キー４を短く押すと、ディスプレイ３に、選択可能なプロファイルが選択可能アイテム２３のエンドレスリストとして電話機の「電源オフ」オプションと共に一覧表示される。所望のプロファイルの選択は、選択可能アイテム２３の中でカーソル２４を移動させることによって行うが、本発明の好適な実施例によれば、これらのアイテムには、「電源オフ」、「パーソナル」、「サイレント」、「音量小」、「音量大」、及び、場合によれば、ユーザーが作成／保存した更に１つ又は複数のプロファイルが含まれており、所望のプロファイルが強調表示されている時に、ソフトキーラベル２２が「ＯＫ」のソフトキー８を押して、当該アイテム、例えば「パーソナル」を選択すると、第３のディスプレイに示されている情報メモにより、選択したプロファイル「パーソナル音を使用中です。」に関してユーザーへの通知が行われる。この表示は、数秒後に図３の第１のディスプレイに示されているアイドル状態表示に自動的に戻る。プロファイルの中には、この表示に、例えば、「サイレント」又は「音量小」プロファイルが選択状態にあることを示す小さなアイコンが含まれるものも存在する。現在選択の対象になっているディスプレイ内のアイテムに対して強調表示という用語が使用されているが、アイテム上に反転ビデオバー（コントラスト反転）を配置して選択状態を示すことも可能である。アイテムが強調表示されている場合には、ユーザーのすべての操作は、そのアイテムに向けられることになる。
【００２８】
しかし、編集や選択などのプロファイルのフルメニューにアクセスするには、アイドル状態の「メニュー」（図４の第１のディスプレイ）を選択した後にソフトキー８を押して電話機のメニュー構造に入らなければならない。このメニュー内では、ユーザーは、カーソルナビゲーションキー１０を使用して選択可能アイテム２３のリストをスクロールし−本発明の好適な実施例によれば、これらのアイテムには、「電話帳」、「メッセージ」、「通話の登録」、「設定」、「通話の転送」、「ゲーム」、「計算機」、「時計」、「プロファイル」が含まれている−図４の第２のディスプレイに示されている「プロファイル」メニューにスクロールするための「プロファイル」が含まれており、ソフトキーラベル２２が「選択」になっているソフトキー８を押すことにより、強調表示されているアイテムを選択する。
【００２９】
ユーザーが「プロファイル」を選択すると、選択可能アイテムのリストが表示される。このリストは、図４の第３のディスプレイに示されているように、「パーソナル」、「サイレント」、「音量小」、「音量大」、「プロファイル名＃１」、「プロファイル名＃２」を含み、最後の２つのアイテムは、ユーザーが規定したか或いはその他のユーザーから受信した１つ又は複数のありうる追加プロファイルであり、一方、最初の４つのアイテムは工場で設定されたプロファイルである。但し、これらのプロファイルのいくつか或いはすべてを編集することも可能である。ユーザーは、これらの利用可能なプロファイルの中でカーソルを移動させ、所望のものを選択することができる。空のプロファイルは表示されない。
【００３０】
本発明の好適な実施例によれば、「プロファイル」メニューからプロファイルの動作特性を変更することができる。基本的に利用可能なプロファイルは次のとおりである。
【００３１】
・パーソナル：これはデフォルト設定である。
・サイレント：電話機の音をすべて消音する。消音されている場合には、スタンバイモードで消音アイコンが表示される。
・音量小：電話機の音を静かなものに設定する。
・音量大：電話機の音を大きなものに設定する。
・空き＃１及び空き＃２プロファイルは、当該電話機において規定するか、或いはプロファイルとして保存するべくリモート端末から電話機に送信される。この２つのプロファイルは、空の場合には選択可能なプロファイルとしてメニューに表示されないことが好ましい。しかし、プロファイルが規定されている場合には、そのプロファイル名がプロファイルリスト内に選択可能アイテムとして表示される。
【００３２】
ユーザーは、所望のプロファイルが強調表示されている際に、ソフトキーラベル２３が「オプション」になっているソフトキー８を押すことにより、当該プロファイルを選択する。プロファイルの中の１つ、例えば「パーソナル」をユーザーが選択すると、選択可能アイテムのリストが表示される。図４の第４のディスプレイに示されているように、このリストには、「使用」、「パーソナライズ」、及び「送信」が含まれている。プロファイルを編集するには、ユーザーは、カーソル２４で「パーソナライズ」を強調表示すると共に、ソフトキーラベル２２「ＯＫ」になっているソフトキー８を押さなければならない。この結果、選択可能アイテムのリストが表示されるが、図４の第５のディスプレイに示されているように、このリストには、調整可能な設定内容として「呼出音」、「呼出音の音量」、「着信通話警報」、「メッセージ警報音」、「キーパッド音」、「警告及びゲーム音」、「バイブレーション警報」、及び「プロファイルのグラフィック」が含まれている。
【００３３】
メニューアイテムの「呼出音」では、音声通話用の呼出音を設定する。ユーザーは、所望の呼出音にスクロールし、ソフトキーラベル２２が「ＯＫ」のソフトキー８を押すことにより、強調表示されている呼出音を選択することができる。他の人間から受信した、或いはユーザー自身が作曲した呼出音は、工場で事前に保存されている呼出音を格納する呼出音リストの末尾に表示される。
【００３４】
メニューアイテムの「呼出音の音量」では、呼出音の音量レベルを設定する。ユーザーは、所望のレベルにスクロールし、ソフトキーラベル２２が「ＯＫ」のソフトキー８を押すことにより、強調表示さているレベルを選択することができる。
【００３５】
メニューアイテムの「着信通話警報」では、ユーザーに対して着信音声通話について通知する方法を規定する。選択可能なオプションは、「呼出音を鳴らす」、「呼出音を徐々に大きくする」、「一回だけ呼出音を鳴らす」、「一回だけビープ音を鳴らす」、及び「消音」である。「消音」が選択されている場合には、電話機の音すべてが消音され、消音アイコンが表示される。ユーザーは、所望のオプションにスクロールし、ソフトキーラベル２２が「ＯＫ」のソフトキー８を押すことにより、強調表示されているオプションを選択することができる。
【００３６】
メニューアイテムの「メッセージ警報音」では、メッセージ警報音の音量レベルを設定する。ユーザーは、所望のレベルにスクロールし、ソフトキーラベル２２が「ＯＫ」のソフトキー８を押すことにより、強調表示されているレベルを選択することができる。
【００３７】
メニューアイテムの「キーパッド音」では、キーパッド音の音量レベルを設定する。ユーザーは、所望のレベルにスクロールし、ソフトキーラベル２２が「ＯＫ」のソフトキー８を押すことにより、強調表示されているレベルを選択することができる。
【００３８】
メニューアイテムの「警告及びゲーム音」では、例えば、バッテリの電力が消耗した場合に、警告音を鳴らすように電話機を設定する。この設定は、ネットワークサービス関連の音に対しては影響を与えない。
【００３９】
メニューアイテムの「バイブレーション警報」では、音声通話又はテキストメッセージを受信した場合に振動するように電話機を設定する。この設定では、振動した後に呼出音を鳴らすように電話機を設定することも可能である。バイブレーション警報は、電話機が充電器又はデスクトップスタンドにセットされている場合には無効になる。
【００４０】
メニューアイテムの「プロファイルのグラフィック」では、選択した時間（「タイムアウト」と呼ぶ）の経過後に、アイドル状態で表示される画像を設定する。ユーザーは、一組の事前に保存されたアニメーションとリモート端末から受信したアニメーションから選択することができる。アニメーションとは、ディスプレイで繰り返しリフレッシュされる一連の画像のことであり、この種のアニメーションの動作方法については、本出願人名義の米国特許５，８７０，６８３号に詳細に説明されている。
【００４１】
このプロファイルのグラフィックのメニューにおいては、ユーザーは、第１サブメニューアイテムの「オフ、オン」で前に選択したプロファイルのグラフィックを短時間表示し、第２サブメニューアイテム「タイムアウト」で「タイムアウト」時間を設定することが可能であり、第３サブメニューアイテムの「プロファイルのグラフィック」で利用可能なグラフィックの中から１つを選択することができる。この操作は、ユーザーが、ソフトキーラベル２２が「ＯＫ」のソフトキー８を押して強調表示されているグラフィック又は入力した入力データを選択するか、或いは「クリア」キー９を押して中断することによって終了する。
【００４２】
メニューアイテムの「名前の変更」では、ユーザーは、プロファイルの名前を変更することができる。この場合、ユーザーは、まず、プロファイルを選択する。そして、電話機のテキストエディタを使用して所望のテキストを入力した後に、ソフトキーラベル２２が「ＯＫ」のソフトキー８を押す。すると、入力したテキストが、選択したプロファイルの新しい名前になる。
【００４３】
図４の第６のディスプレイにおいて、ユーザーは、利用可能な呼出音のリスト全体をスクロールし、所望のものを選択することができる。ユーザーが設定を希望するすべてのその他の選択可能な設定項目についても、これと同様に実行する。この第６のディスプレイにおいて、ソフトキーラベル２２が「ＯＫ」のソフトキー８を押して呼出音を選択すると、電話機は、図４の第５のディスプレイに示されているさらに高いメニューレベルにジャンプする。
【００４４】
ユーザーが設定内容の変更を希望しない場合には、単に「クリアキー」９を押すことにより、電話機がメニューで１つ上のレベルに移行する。ユーザーが「クリアキー」９を続けて押すと、押すたびにメニューで１つ上のレベルに移行し、最終的に図４の第１のディスプレイのアイドル状態に到達する。この代わりに、「クリアキー」９を長く（０．８秒よりも長く）押し続けても、アイドル状態に移行することができる。
【００４５】
無線ネットワーク接続を介して移動体通信端末（例えばセルラ電話）に転送されたプロファイルを無線（Ｏｖｅｒ−Ｔｈｅ−Ａｉｒ）プロファイル又はＯＴＡプロファイルと呼ぶことにする。このＯＴＡプロファイルは、個人の好みに従って電話機をパーソナライズする新しい方法である。通常のプロファイル（電話機に事前に保存されているもの）と同様に、これらのプロファイルも、様々な使用状況に対して電話機を調整するのに使用される。
【００４６】
電話機は、プロファイル名、呼出音、及びプロファイルグラフィックを含むプロファイル設定の一部をスマートメッセージとして受信することが可能であり、この設定の組み合わせをＯＴＡプロファイルと呼ぶ。本発明の好適な実施例によれば、受信したプロファイル設定は、２つの置換可能なプロファイル（事前設定ＯＴＡプロファイル）に保存することができる。プロファイル、その呼出音、及びそのプロファイルのグラフィックは、すべて同じ名前、例えば「カフェ」を有しており、このプロファイル名「カフェ」が前述の空き＃１という名前に置き換わり、選択可能プロファイルを表示するメニューに現われることになる。
【００４７】
本発明の第１の態様によれば、携帯端末、例えばセルラ電話においてプロファイルの動作特性を処理する方法が提供される。この場合、電話機は、それぞれが一群のユーザー調整可能な動作特性を含むいくつかのユーザー選択可能なプロファイルを備えている。更に、この電話機は、一群のユーザー調整可能な動作特性を含むメッセージ、例えば、ＳＭＳなどのメッセージとして送信されたメッセージをリモート端末から、受信することができる。このメッセージを受信すると、電話機は、そのメッセージを分析して個別のユーザー調整可能な動作特性を識別し、その一群のユーザー調整可能な動作特性をプロファイルとして保存する。
【００４８】
プロファイルで使用するグラフィックは、アイドル状態のディスプレイの中央部にフィットするサイズの単純なビットマップ画像であってよい。このようなビットマップ画像の各ピクセルに必要なのは、最も単純な形式においては１ビットのみである（白／黒）。このグラフィックを有効にしておくと、ユーザー調整可能なタイムアウトの後に、電話機をアイドル状態にしておく限り、常にこのビットマップ画像がディスプレイに表示される。４０×２５ビットの画像に必要とされるのは、わずかに１２５バイトである。
【００４９】
しかしながら、更に複雑なグラフィックが望ましい場合が存在する。これは、例えば、一連の単純なビットマップ画像（３〜５枚の画像）として提供することが可能であり、これらの個別画像は、ユーザーが設定したリフレッシュ間隔で連続して表示される。有利なことに、これらのアニメーションは数秒程度しか続かず、アニメーションが終了すると、画像の中の１つがそのまましばらく、例えば３０分表示された後に再度アニメーションが繰り返される。但し、その他のイベント、例えば端末の動きの変化を検出するセンサーからの入力によってアニメーションをトリガすることも可能である。
【００５０】
図５は、例えば、ＧＳＭ規格に従ってショートメッセージを送信する移動体通信システムと接続の構成を概略的に示している。移動局、即ち、セルラ電話機１は、基地局５０（ＢＴＳ）に無線通信によって接続されている。そして、基地局５０は、Ａｂｉｓインターフェイス５１を介して基地局コントローラ（ＢＳＣ）５２に接続されており、このコントローラはいくつかの基地局５０を制御並びに管理している。
【００５１】
いくつかの基地局５０と１つの基地局コントローラ５２によって形成されるエンティティを基地局システム（ＢＳＳ）５３と呼ぶ。基地局コントローラ５２は、無線通信チャネルとハンドオーバーを管理する。さらに、基地局コントローラ５２は、所謂Ａインターフェイスを介して移動通信交換局（ＭＳＣ）５４にも接続されている。この移動通信交換局５４は、移動局への／からの接続形成を調整するものであり、基地局システム５３を移動体通信ネットワーク外の世界、例えば移動体通信ネットワークのＳＭＳ機能を管理するショートメッセージサービスセンタ（ＳＭ−ＳＣ）５５に接続している。
【００５２】
電話機１を利用してショートメッセージ（ＳＭＳ）を送信したい場合、ユーザーは、送信するメッセージを作成するか或いはメモリから取り出し、そのメッセージの受信者の電話番号、即ち、メッセージを送信する宛先である受信側電話機５６の識別子を与える。そして、ショートメッセージを送信すると、そのメッセージは電話機１から基地局５０に向かい、そこから基地局コントローラ５２と移動通信交換局５４を介してショートメッセージサービスセンタ５５に到達する。そして、ショートメッセージは、このショートメッセージサービスセンタ５５に保存されると共に、そこから受信側移動局５６に送信されるが、その際のメッセージのルートは、方向は反対となるが、送信の場合と同様である。ショートメッセージサービスセンタ５５には、このショートメッセージを移動局５６が受信したかどうかが通知され、受信していない場合には、当該ショートメッセージが再送される。
【００５３】
これ以外にも、ショートメッセージは、パーソナルコンピュータ（ＰＣ）５７から、例えばインターネット５８を経由していくつかのオペレータのホームページで提供されている特殊なインターネットアプリケーションで送信することができる。この場合、移動通信交換局５４は、ゲートウェイサーバー５９（ＧＴＷ）と接続状態にあり、このゲートウェイサーバーがインターネット５８と接続されている。ユーザーは、この特殊なインターネットメッセージアプリケーションを含むＷＷＷページにおいて、受信側の電話機５６の電話番号と送信するメッセージを入力することにより、当該メッセージをパーソナルコンピュータ（ＰＣ）５７から送信することができる。この場合、メッセージは、インターネット５８とゲートウェイサーバー５９を介して移動通信交換局５４に向かい、更にショートメッセージサービスセンタ５５を経た後に移動体通信ネットワークを介して受信側の電話機５６に到達する。
【００５４】
現在、ＧＳＭシステムのショートメッセージサービス（ＳＭＳ）を利用すると、１４０バイトに相当する、７ビットのＡＳＣＩＩ文字で最大１６０文字の単一メッセージを送信することができる。しかし、複数の個別メッセージを連結メッセージとして連結することにより、更に多くのデータを取得することが可能である。
【００５５】
（プロファイル送信の構文）
プロファイル送信メッセージの構文は、＜ｌｉｎｅ−ｆｅｅｄ＞という区切り表現に基づいており、次のようなフォーマットで記述する。
【００５６】
2004507980.tif 000003
【００５７】
本発明の好適な実施例によれば、補助情報フィールド（＜ｒｉｎｇｉｎｇ−ｔｏｎｅ−ｆｉｅｌｄ＞から＜ｇｒａｐｈｉｃ−ｆｉｅｌｄ＞まで）は、いずれも省略可能であるが、構文の規則により、フィールド区切り文字（＜ｌｉｎｅ−ｆｅｅｄ＞）を省略することはできない。
【００５８】
（呼出音のフォーマット）
呼出音のフォーマットは、電話機からは独立しており、オーディオ関連の情報のみを記述する。端末にメロディを保存することを目的としており、それらを使用して特殊な呼出音を有するメッセージ通知を実現することができる。
【００５９】
＜Ｒｉｎｇｉｎｇ−Ｔｏｎｅ−ｐｒｏｇｒａｍｍｉｎｇ−ｌａｎｇｕａｇｅ＞：：＝＜ｃｏｍｍａｎｄ＞＋
＜ｃｏｍｍａｎｄ＞：：＝
＜ｃｏｍｍａｎｄ−ｌｅｎｇｔｈ＞＜ｃｏｍｍａｎｄ−ｐａｒｔ＞＋｜
＜ｃｏｍｍａｎｄ−ｅｎｄ＞
＜ｃｏｍｍａｎｄ−ｌｅｎｇｔｈ＞：：＝‘ｂｉｎａｒｙ［０００００００１ ．． １１１１１１１１］．これは、コマンド内に存在するコマンド要素の数を示している。必要に応じて、＜ｃｏｍｍａｎｄ−ｐａｒｔ＞が常にバイトを構成するよう、充填ビットを追加する。’
＜ｃｏｍｍａｎｄ−ｅｎｄ＞：：＝‘ｂｉｎａｒｙ［００００００００］；これは、呼出音プログラミング言語の終わりを示している。’
＜ｃｏｍｍａｎｄ−ｐａｒｔ＞：：＝
＜ｒｉｎｇｉｎｇ−ｔｏｎｅ−ｐｒｏｇｒａｍｍｉｎｇ＞｜
＜ＵＮＩＣＯＤＥ＞｜
＜ｃａｎｃｅｌ−ｃｏｍｍａｎｄ＞＜ｃａｎｃｅｌ−ｃｏｍｍａｎｄ−ｓｐｅｃｉｆｉｅｒ＞｜
＜ｓｏｕｎｄ＞＜ｓｏｕｎｄ−ｃｏｍｍａｎｄ−ｓｐｅｃｉｆｉｅｒ＞
【００６０】
呼出音のプログラミングにおいては、コマンド要素の順序を、＜ｒｉｎｇｉｎｇ−ｔｏｎｅ−ｐｒｏｇｒａｍｍｉｎｇ＞，［＜ＵＮＩＣＯＤＥ＞，］＜ｓｏｕｎｄ＞とする必要がある。
【００６１】
2004507980.tif 000004
＜ｔｅｘｔ−ｌｅｎｇｔｈ＞：：＝‘ｂｉｎａｒｙ［００００ ．． １１１１］は、以下のテキストに使用されている文字数を示している。例えば、ユニコード（ｕｎｉｃｏｄｅ）の場合には、これは、１６ビットユニコードの文字数である。’
＜ｔｅｍｐｏｒａｒｙ−ｓｏｎｇ＞：：＝＜ｓｏｎｇ−ｓｅｑｕｅｎｃｅ−ｌｅｎｇｔｈ＞＜ｓｏｎｇ−ｓｅｑｕｅｎｃｅ＞
＜ｓｏｎｇ−ｓｅｑｕｅｎｃｅ−ｌｅｎｇｔｈ＞：：＝‘ｂｉｎａｒｙ［００００００００ ．． １１１１１１１１］；この後の曲パターンの数を示している。’
＜ｓｏｎｇ−ｓｅｑｕｅｎｃｅ＞：：＝＜ｓｏｎｇ−ｐａｔｔｅｒｎ＞＋
＜ｓｏｎｇ−ｐａｔｔｅｒｎ＞：：＝
＜ｐａｔｔｅｒｎ−ｈｅａｄｅｒ＞｜
＜ｐａｔｔｅｒｎ−ｈｅａｄｅｒ＞＜ｐａｔｔｅｒｎ−ｉｎｓｔｒｕｃｔｉｏｎ＞＋
＜ｐａｔｔｅｒｎ−ｈｅａｄｅｒ＞：：＝＜ｐａｔｔｅｒｎ−ｈｅａｄｅｒ−ｉｄ＞＜ｐａｔｔｅｒｎ−ｉｄ＞＜ｌｏｏｐ−ｖａｌｕｅ＞＜ｐａｔｔｅｒｎ−ｓｐｅｃｉｆｉｅｒ＞
＜ｌｏｏｐ−ｖａｌｕｅ＞：：＝‘ｂｉｎａｒｙ［００００ ．． １１１１］；パターンを繰り返す必要のある回数を示している。値０は、繰り返さないことを意味し、２進数の値１１１１は、無限を意味する。’
＜ｐａｔｔｅｒｎ−ｓｐｅｃｉｆｉｅｒ＞：：＝＜ａｌｒｅａｄｙ−ｄｅｆｉｎｅｄ−ｐａｔｔｅｒｎ＞｜＜ｌｅｎｇｔｈ−ｏｆ−ｔｈｅ−ｎｅｗ−ｐａｔｔｅｒｎ＞
＜ａｌｒｅａｄｙ−ｄｅｆｉｎｅｄ−ｐａｔｔｅｒｎ＞：：＝‘ｂｉｎａｒｙ［００００００００］；これは、既に規定されたパターンを再度使用することを示している。’
＜ｌｅｎｇｔｈ−ｏｆ−ｔｈｅ−ｎｅｗ−ｐａｔｔｅｒｎ＞：：‘ｂｉｎａｒｙ［０００００００１ ．． １１１１１１１１］；この曲パターンに存在するパターン命令数を示している。値０は許されていない。’
＜ｐａｔｔｅｒｎ−ｉｎｓｔｒｕｃｔｉｏｎ＞：：＝
＜ｎｏｔｅ−ｉｎｓｔｒｕｃｔｉｏｎ＞｜＜ｓｃａｌｅ−ｉｎｓｔｒｕｃｔｉｏｎ＞｜＜ｓｔｙｌｅ−ｉｎｓｔｒｕｃｔｉｏｎ＞｜
＜ｔｅｍｐｏ−ｉｎｓｔｒｕｃｔｉｏｎ＞｜＜ｖｏｌｕｍｅ−ｉｎｓｔｕｒｃｔｉｏｎ＞
【００６２】
（グラフィック画像とアニメーション）
ＯＴＡビットマップフォーマットにより、グラフィック情報を様々な電話機に送信することが可能であり、電話機の実装に応じて、ユーザーはグラフィックオブジェクトを作成し、それらをその他の電話機に送信することができる。ＯＴＡビットマップフォーマットは、電話機から独立ており、グラフィック情報のみを記述する。
【００６３】
本発明による好適な実施例によれば、ＯＴＡビットマップの構文によって以下のデータを与えている。
【００６４】
＜ＯＴＡ−ｂｉｔｍａｐ＞：：＝＜Ｈｅａｄｅｒ＞＜Ｉｍａｇｅ−ｄａｔａ＞
＜Ｈｅａｄｅｒ＞：：＝＜ＩｎｆｏＦｉｅｌｄ＞［＜ＥｘｔＦｉｅｌｄ＞］＊＜Ｗｉｄｔｈ＞＜Ｈｅｉｇｈｔ＞＜Ｄｅｐｔｈ＞
＜ＩｎｆｏＦｉｅｌｄ＞：：＝‘スマートメッセージ規格に規定されているオクテット’
＜ＥｘｔＦｉｅｌｄ＞：：＝‘スマートメッセージ規格に規定されているオクテット’
＜Ｗｉｄｔｈ＞：＝‘ピクセルで表したビットマップの水平の幅’
＜Ｈｅｉｇｈｔ＞：＝‘ピクセルで表したビットマップの垂直の高さ’
＜Ｄｅｐｔｈ＞：：＝‘色又はグレーシエイドの番号’
＜Ｉｍａｇｅ−ｄａｔａ＞：：＝＜Ｍａｉｎ−ｉｍａｇｅ＞［＜Ａｎｉｍａｔｅｄ−ｉｍａｇｅ＞］＊；‘０から１５枚までのアニメーション画像が許容されている。’
＜Ｍａｉｎ−ｉｍａｇｅ＞：：＝‘以下に記述の画像データ構造に従って形成されたビットマップ’
＜Ａｎｉｍａｔｅｄ−ｉｍａｇｅ＞：：＝‘以下に記述の画像データ構造に従って形成されたビットマップ’
【００６５】
ビットマップがディスプレイよりも大きい場合には、デイスプレイの左上隅から始まり右下隅にかけて表示されるよう、ビットマップがトリミングされる。平面内でのピクセルの読み取りは、行単位で行われ、行は、最上端から最下端に向かって読み取られ、行内のピクセルは、左から右に向かって読み取られる。
【００６６】
本発明によれば、通信端末用の動作特性を有するリモート端末を利用し、バンドルしたコンテンツを有するメッセージを送信することも可能である。この通信端末は電話機１及び５６であってよく、ユーザー調整可能な動作特性のいくつかのユーザー選択可能な群を有している。リモート端末はＰＣ５７又はインターネット５８であってよく、一群のユーザー調整可能な動作特性、例えば呼出音とグラフィック画像を含むメッセージを生成するバンドル手段を有している。更に、このリモート端末はさらに、ＳＭＳやその他の種類の通信チャネルを使用するなど、通信チャネルを介して通信端末にメッセージを転送する送信手段を有している。即ち、リモート端末から通信チャネルを介してコンテンツを送信するが、このいずれもＰＣ５７又はインターネット５８によって実行可能である。そして、メッセージを受信すると、通信端末は、その一群のユーザー調整可能な動作特性を通信端末内のそれぞれの選択可能な群に個別に保存することができる。従って、プロファイルフォーマットでメッセージを送信する代りに、コンテンツを電話機１のユーザー選択可能な群の内部で個別に処理することが可能であり、ユーザーが電話機をパーソナライズする自由度が更に拡大することになる。
【００６７】
さらに、対応するユーザー選択可能な群に保存するべく、サーバー文書の場所を規定するブックマーク情報及び／又はイベントの日付を規定するカレンダーノートを含むことも可能である。ブラウザ、例えば無線アプリケーションプロトコルに基づいたＷＡＰブラウザを使用すれば、保存されているリンクのリストにＷＡＰページに対するリンクを有するブックマークを追加することができる。ユーザーが特定のＷＡＰサイト、即ち、ホームページを訪問し、後でそのサイトに素早く戻りたい場合には、そのサイトのブックマークを作成すればよいのである。この場合には、その他のコンテンツと共にメッセージ内にブックマークを含むことが可能である。ＷＡＰは、セルラ通信ネットワーク上のアプリケーション開発用の業界統一規格を規定するための一連の作業の成果物であり、これにより、ＷＡＰをサポートする通常のセルラ電話から、例えば、インターネットやハイパーメディアサーバーによって提供されているその他の種類の情報ネットワークにアクセスすることが可能になる。カレンダーノートは、ｖＣａｌｅｎｄａｒフォーマットで処理することが可能であり、このフォーマットは、スケジューリング及び活動記録情報を電子的に交換するための業界標準フォーマットである。ｖＣａｌｅｎｄｅｒの添付ファイルがメッセージに含まれていれば、そのイベントをスケジュール管理（ＰＩＭ）タイプのアプリケーションプログラムに保存し、電話機のカレンダーアプリケションと統合したり、関連付けたりすることができる。ｖＣａｌｅｎｄａｒは、ｖＣａｒｄ電子名刺規格と共に開発されたものであり、この電子名刺もメッセージに含めることが可能である。
【００６８】
バンドルされたコンテンツを有するメッセージを送信することでは、コンテンツプロバイダがそのサービス通りのメッセージを生成する可能性が増す。例えば、レコード会社の場合であれば、サーバーを準備し、そのサーバーによってマドンナのような新しいアーティストやレコードのプロモーション用のコンテンツを提供することが考えられる。この場合には、メッセージに、新しいアルバムの呼出音、グラフィック画像としてアーティストの画像、予定されているツアーのカレンダーノート、及びアーティスト（又は、レコード会社）のＷＡＰページに対するブックマークを含むことができる。又、例えば、クリスマスやハヌカーのような祝祭日に関連するイベント駆動型のコンテンツを提供するサーバーを提供することも可能である。プロモーション用のコンテンツの場合と同様に、このイベント駆動型のサーバーは、例えば、呼出音（「ジングルベル」など）、サンタクロースの画像、祝祭日に関するカレンダーノート、及びクリスマス関連サイトのブックマークを含むメッセージを提供することができる。
【００６９】
バンドルされたメッセージの構文は、プロファイル送信メッセージと類似のものであってよい。プロファイルメッセージとバンドルされたメッセージの違いは、電話機におけるメッセージの受信方法にあり、バンドルされたメッセージをユーザーが受信する場合には、そのメッセージ、或いは、場合によってはその一部だけを受け付けることも可能であり、その後、電話機１のユーザー選択可能な群の内部でその受信したユーザー調整可能な動作特性を個別に処理することができる。
【００７０】
図６及び図７を参照して説明する実施例は、メッセージに、プロファイル名、スクリーンセーバーとして機能するプロファイルのグラフィック、及び呼出音が含まれるＯＴＡプロファイルメッセージに関連したものであり、図６は、このＯＴＡプロファイルの受信手順のフローチャートを示しており、図７は、ＯＴＡプロファイルを受信する際の一連のディスプレイを示している。まず、ＯＴＡプロファイルを受信すると（段階６０）、ＳＭＳ警報音が再生され、「ＯＴＡプロファイルを受信しました。」というソフト通知２６が表示される（段階６１）。ソフト通知は、典型的にはユーザーが関与することなく発生したイベントについてユーザーに対して通知するものであり、普通、テキストで表示される。
【００７１】
着信したプロファイルは、「クリア」キー９を押すことによって破棄することができる（段階６２）。しかし、「クリア」キー９を押したあと、「受信したプロファイルを破棄しますか？」というテキストによる確認問合わせメッセージが表示される（段階６３）。ソフトキー８のソフトキーラベルは「ＯＫ」である。段階６４において、このソフトキー８を押すと、電話機はアイドル状態に戻り（段階６５）、受信したＯＴＡプロファイルは保存されることなく破棄される。破棄を確認する代りに、「クリア」キー９を押すと、この操作が取り消される、即ち、ＯＴＡプロファイルは削除されず、電話機は段階６６のソフトキーオプションリストに戻る。
【００７２】
ソフト通知の際に（図７の第２のディスプレイ）、ソフトキーラベル２２が「オプション」のソフトキー８をユーザーが押すと、電話機１は、以下の選択可能アイテムからなる選択リストを表示する（段階６６）。
【００７３】
詳細
保存
破棄
【００７４】
このソフトキーの機能は「ＯＫ」である。図７の第３のディスプレイに示されているオプションリストから「詳細」を選択すると、電話機は段階７０において、以下の選択可能アイテムからなる選択リスト２３を表示する。
【００７５】
・「プロファイル名」：この「プロファイル名」が強調表示されている場合には２４、ソフトキーラベル２２は、プロファイル名を「参照する」になっている。
・「呼出音」：「呼出音」が強調表示されている場合には２４、ソフトキーラベル２２は、当該呼出音を「再生する」になっている。
・「プロファイルのグラフィック」：「プロファイルのグラフィック」が強調表示されている場合には２４、ソフトキーラベルは、「スクリーンセーバーを参照する」になっている。
・「プロファルの保存」
【００７６】
段階７１において、ユーザーが「再生」ソフトキー８を選択すると、電話機は段階７２において、受信した呼出音をユーザーに対して再生し、図７の第５のディスプレイに示されているアイテムのように、ディスプレイ２に情報メモ２７が示される。ソフトキーラベル２２は「終了」に変化し、ソフトキーの機能は、呼出音の再生を終了させるものになる。再生を中断するか、或いは再生が終了すると、選択可能アイテムを有する選択リスト（図７の第４のディスプレイ）が再度表示される。
【００７７】
段階７１において、「プロファイルのグラフィック」が強調表示されている際に、ユーザーが「スクリーンセーバーを参照する」を選択すると、電話機は、そのプロファイルのグラフィックをユーザーに対して表示する。ソフトキーラベルは「戻る」であり、ソフトキーの機能は、グラフィックのチェックを終了させるものになる。そして、段階７２でのチェックを中断するか、或いはチェックが終了すると、選択可能アイテムを有する選択リストが再度表示される。
【００７８】
段階６７において、ユーザーがソフトキー選択リスト（図７の第３のディスプレイ）から「保存」を選択するか、或いは段階７１において詳細リストから保存を選択すると、電話機は、図７の第６のディスプレイに示されているように、「プロファイルの場所を選択してください」という表示テキストの情報メモ２７を表示する。このあと、電話機は、図７の第７のディスプレイに示されているように、すべてのプロファイルを選択リストとして表示する。ユーザーは、段階６８において、置換対象のプロファイルを選択することができる。
【００７９】
通常モード
サイレントモード
音量小モード
屋外モード
ＯＴＡプロファイル１（事前にプログラムされたもの）
ＯＴＡプロファイル２（事前にプログラムされたもの）
【００８０】
選択のあと、置換されたプロファイル名がＵであれば、図７の第８のディスプレイに示されているように、確認問合わせ「プロファイルＵを置換しますか？」という情報メモ２７が表示される。このソフトキーラベル２２は「ＯＫ」である。ユーザーがこれを確認すると、段階６９において、プロファイルが保存され、図７の第９のディスプレイに示されているように「ＯＴＡプロファイルを保存しました。」という旨の確認メモ２８が表示され、電話機がアイドル状態に移行する。
【００８１】
段階６７において、選択リストから「破棄」を選択すると、電話機は、段階６３において「受信したプロファイルを破棄しますか？」という旨の確認注意の問合わせを表示する。段階６４において、ユーザーがソフトキーを押してこれを確認すると、ダウンロードされたＯＴＡプロファイルが破棄され、「プロファイルを破棄しました」という旨の確認注意の問合わせが表示される。そして、電話機はアイドル状態に移行する。
【図面の簡単な説明】
【図１】
図１は本発明による通信端末の好適な実施例を示す図である。
【図２】
図２はセルラネットワークと通信する通信端末の主要構成要素を概略的に示す図である。
【図３】
図３は本発明による通信端末の好適な実施例においてプロファイルを選択する際の一連のディスプレイを示す図である。
【図４】
図４は本発明による通信端末の好適な実施例においてプロファイルを編集する際の一連のディスプレイを示す図である。
【図５】
図５は本発明に従って端末のプロファイルを転送可能なネットワークを示す図である。
【図６】
図６は本発明による通信端末の好適な実施例においてプロファイルメッセージを受信する手順を示すフローチャートを示す図である。
【図７】
図７は本発明による通信端末の好適な実施例においてプロファイルメッセージを受信する際の一連のディスプレイを示す図である。
【図２】
2004507980.tif 000005
【図３】
2004507980.tif 000006
【図４】
2004507980.tif 000007
【図５】
2004507980.tif 000008
【図６】
2004507980.tif 000009
【図７】
2004507980.tif 000010
【国際公開パンフレット】
2004507980.tif 000011
2004507980.tif 000012
2004507980.tif 000013
2004507980.tif 000014
2004507980.tif 000015
2004507980.tif 000016
2004507980.tif 000017
2004507980.tif 000018
2004507980.tif 000019
2004507980.tif 000020
2004507980.tif 000021
2004507980.tif 000022
2004507980.tif 000023
2004507980.tif 000024
2004507980.tif 000025
2004507980.tif 000026
2004507980.tif 000027
2004507980.tif 000028
2004507980.tif 000029
2004507980.tif 000030
2004507980.tif 000031
2004507980.tif 000032
2004507980.tif 000033
2004507980.tif 000034
2004507980.tif 000035
2004507980.tif 000036
2004507980.tif 000037
2004507980.tif 000038
2004507980.tif 000039
2004507980.tif 000040
2004507980.tif 000041
2004507980.tif 000042
2004507980.tif 000043
2004507980.tif 000044
2004507980.tif 000045
2004507980.tif 000046
2004507980.tif 000047
2004507980.tif 000048
2004507980.tif 000049
【国際公開パンフレット（コレクトバージョン）】
2004507980.tif 000050
2004507980.tif 000051
【手続補正書】
【提出日】平成14年12月2日(2002.12.2)
【手続補正１】
【補正対象書類名】明細書
【補正対象項目名】請求項２８
【補正方法】変更
【補正の内容】
【請求項２８】
前記少なくとも１つのグラフィック画像は、前記ユーザーが前記通信端末用に前記プロファイルを選択した場合に、前記通信端末の動作に応じて、前記通信端末のディスプレイ内に表示される請求項２７記載の通信端末。
【手続補正２】
【補正対象書類名】明細書
【補正対象項目名】請求項３１
【補正方法】変更
【補正の内容】
【請求項３１】
前記アニメーションは、前記ユーザーが前記通信端末用に前記プロファイルを選択した場合に、スクリーンセーバーとして機能する請求項３０記載の通信端末。
【手続補正３】
【補正対象書類名】明細書
【補正対象項目名】請求項３３
【補正方法】変更
【補正の内容】
【請求項３３】
ユーザー調節可能な動作特性のいくつかのユーザー選択可能な群を備えた通信端末の動作特性を処理する方法であって、通信チャネルを介してリモート端末から送信された一群のユーザー調節可能な動作特性を含むメッセージを受信する段階と、前記一群のユーザー調節可能な動作特性を前記通信端末内のそれぞれの選択可能な群に個別に保存する段階と、を有することを特徴とする方法。
【国際調査報告】
2004507980.tif 000052
2004507980.tif 000053
2004507980.tif 000054
2004507980.tif 000055